【手続補正書】
【提出日】平成29年6月20日(2017.6.20)
【手続補正１】
【補正対象書類名】特許請求の範囲
【補正対象項目名】全文
【補正方法】変更
【補正の内容】
【特許請求の範囲】
【請求項１】
ネットワークを介して接続される複数の端末装置による対話型通信における会話の活性・停滞状態を監視する会話状態監視部と、
位置情報、環境情報、体調情報の少なくとも１つを抽出して記録する記録部と、を備え、
前記会話状態監視部により前記会話状態が停滞状態であるとされたときに、前記記録部に記録した位置情報、環境情報、体調情報の少なくとも１つに関連する話題を前記端末装置に供給する話題提供部と、
を備えることを特徴とする対話型通信システム。
【請求項２】
前記対話型通信は、会話時に画像を表示する対話型ビデオ通信である、請求項１記載の対話型通信システム。
【請求項３】
前記記録部は、
前記会話時に表示される画像の位置データを前記位置情報として記録する、請求項２に記載の対話型通信システム。
【請求項４】
前記記録部は、
前記位置データから代表地名を選定して記録する、請求項３に記載の対話型通信システム。
【請求項５】
前記話題提供部は、
検索サイトのサーバ装置にアクセスして前記代表地名に関連する画像を表示する請求項４に記載の対話型通信システム。
【請求項６】
前記記録部は、前記会話の時点における前記端末装置の周囲の環境データまたは前記端末装置の利用者の体調データを記録し、
前記話題提供部は、前記会話状態が停滞状態であるときに、前記環境データ又は体調データに関連する話題を前記端末装置に供給する、
請求項１に記載の対話型通信システム。
【請求項７】
前記環境データは気温、気圧、湿度、照度の少なくともいずれか１つ以上であり、
前記体調データは体温、脈拍、血圧の少なくともいずれか１つ以上である、
ことを特徴とする請求項６に記載の対話型通信システム。
【請求項８】
前記会話の活性・停滞状態監視部と、前記記録部と、前記話題提供部と、を前記端末装置内に一体的に設けたことを特徴とする請求項１ないし７いずれかに記載の対話型通信システム。
【請求項９】
前記会話状態監視部は、前記端末装置が定期的に送信してくる音声情報に含まれる音声平均パワー情報を監視し、所定期間内に、前記音声平均パワー情報の値が、閾値である上限値ＶＨと下限値ＶＬの間に入っていれば、会話状態は平常状態であると判定する、請求項１ないし８いずれか１項に記載の対話型通信システム。
【請求項１０】
前記会話状態監視部は、前記端末装置が定期的に送信してくる音声情報に含まれる音声平均パワー情報を監視し、所定期間内に、前記音声平均パワー情報の値が、閾値である下限値ＶＬを下回っていれば、会話状態は停滞状態であると判定する、請求項１ないし８いずれか１項に記載の対話型通信システム。
【請求項１１】
前記会話状態監視部は、前記端末装置が定期的に送信してくる音声情報に含まれる音声平均パワー情報を監視し、所定期間内に、前記音声平均パワー情報の値が、閾値である上限値ＶＨを上回っていれば、会話状態は活性状態であると判定する、請求項１ないし８いずれか１項に記載の対話型通信システム。
【請求項１２】
前記会話状態監視部により前記会話状態が活性状態であるとされたときに、前記記録部に、前記対話型通信における所定の情報を記録する、請求項１記載の対話型通信システム。
【請求項１３】
請求項１ないし１２いずれかに記載の対話型通信システムに用いられる端末装置。
【請求項１４】
ネットワークを介して他の端末装置と接続される端末装置のコンピュータに、
対話型通信における会話の活性・停滞状態を監視する会話の活性・停滞状態監視処理と、
位置情報、環境情報、体調情報の少なくとも１つを抽出して記録する記録処理と、を実行させ、
前記会話状態が停滞状態であるとされたときに、前記記録した位置情報、環境情報、体調情報の少なくとも１つに関連する話題を前記端末装置に供給する話題提供処理を実行させるプログラム。
【手続補正２】
【補正対象書類名】明細書
【補正対象項目名】０００９
【補正方法】変更
【補正の内容】
【０００９】
本発明の一態様は、ネットワークを介して接続される複数の端末装置による対話型通信における会話の活性・停滞状態を監視する会話状態監視部と、前記対話型通信における所定の情報を抽出して解析し記録する解析・記録部と、を備え、前記記録部に記録される情報は位置情報、環境情報、体調情報の少なくとも１つを含み、前記会話状態監視部により前記会話状態が停滞状態であるとされたときに、前記記録した位置情報、環境情報、体調情報の少なくとも１つに関連する話題を前記端末装置に供給する話題提供部と、を備えることを特徴とする対話型通信システムである。
【手続補正３】
【補正対象書類名】明細書
【補正対象項目名】００１０
【補正方法】削除
【補正の内容】
【手続補正４】
【補正対象書類名】明細書
【補正対象項目名】００３０
【補正方法】変更
【補正の内容】
【００３０】
位置データ取得部３０８は、対話型通信の会話に出現し、例えばデータ記憶部３０６に対して入出力される静止画像データや動画像データのメタデータ、例えばＥｘｉｆ（ＥＸｃｈａｎｇｅａｂｌｅ  Ｉｍａｇｅ  Ｆｉｌｅ  ｆｏｒｍａｔ）データに含まれる、その画像が撮影された位置を示す緯度・経度データを、対話型通信制御部３０１を介して位置データとして取得する。あるいは、位置データ取得部３０８は、ＧＰＳ受信機５１１が検出する緯度・経度データを、対話型通信制御部３０１を介して位置データとして取得する。
【手続補正５】
【補正対象書類名】明細書
【補正対象項目名】００４０
【補正方法】変更
【補正の内容】
【００４０】
上述の構成において、図４の会話状態監視部４０４が図１の会話状態監視部１０２に対応する。また、図３の音声分析部３０７および図４のワード抽出部４０５が、図１の語句抽出・記録部１０３に対応する。また、図４のワードＤＢ４０６が図１の記録された語句１０４に対応する。また、図３の位置データ取得部３０８および図４の位置情報解析部４０７が、図１の位置情報解析・記録部１０７に対応する。また、図４の位置情報ＤＢ４０８が、図１の記録された位置情報１０８に対応する。さらに、図４の話題提供部４０９が、図１の話題提供部１０６に対応する。そして、図２の検索サイトのサーバ装置２３０ニュースサイトのサーバ装置１００が、図１の検索サイトのサーバ装置１１１に対応する。このように、図２、図３、および図４の構成では、音声分析部３０７および位置データ取得部３０８が端末装置２２０に、また、会話状態監視部４０４、ワード抽出部４０５、ワードＤＢ４０６、位置情報解析部４０７、位置情報ＤＢ４０８、および話題提供部１０６がサーバ装置１００に、それぞれ分散配置される。この場合、端末装置２２０内の音声分析部３０７および位置データ取得部３０８からサーバ装置１００に送信される音声情報および位置データのデータ伝送量は、音声データや画像データそのものを送信するよりもはるかに少ない伝送量で済む。
これにより、例えば端末装置２２０間のピアツーピア接続の効率性を損なわずに、図１の機能構成の場合と同様にして、端末装置２２０で対話型通信を行っているユーザは、表示部・操作入力部３０４（図３）に表示される話題４１２の表示を見ることで、例えば最近のぼった話題４１２または例えば半年以上前にのぼった話題４１２などを再び思い出して、対話型の通話をより円滑に進めることが可能となる。特にお年寄りの場合は直近の話題よりも古い話題の方が記憶に残っている場合もある。
【手続補正６】
【補正対象書類名】明細書
【補正対象項目名】００７１
【補正方法】変更
【補正の内容】
【００７１】
以上のようにして、本実施形態では、会話状態が活性状態にあるときは、そのときに会話に登場したワードや位置情報が会話が盛り上がる要因となると判断されて、図４のワードＤＢ４０６および位置情報ＤＢ４０８に蓄積される。
【手続補正７】
【補正対象書類名】明細書
【補正対象項目名】００７４
【補正方法】変更
【補正の内容】
【００７４】
図９においてまず、ＣＰＵ５０１は、外部記憶装置５０５内のワードＤＢ４０６から、例えば最近数ヶ月以内に登録されたワード４１０（図４参照）を、例えば無作為に抽出する（ステップＳ９０１）。
【手続補正８】
【補正対象書類名】明細書
【補正対象項目名】００７９
【補正方法】変更
【補正の内容】
【００７９】
ＣＰＵ５０１は、ステップＳ９０４の判定がＮＯならば、外部記憶装置５０５内のワードＤＢ４０６から、例えば登録日時が半年以前であるワード４１０（図４参照）を、例えば無作為に抽出する（ステップＳ９０５）。
【手続補正９】
【補正対象書類名】明細書
【補正対象項目名】００８４
【補正方法】変更
【補正の内容】
【００８４】
ＣＰＵ５０１は、ステップＳ９０８の判定がＮＯならば、ステップＳ９０１の処理に戻って、ワードＤＢ４０６から新たなキーワードの無作為抽出を繰り返す。
【手続補正１０】
【補正対象書類名】明細書
【補正対象項目名】００９７
【補正方法】変更
【補正の内容】
【００９７】
話題提供部４０９は、会話状態監視部４０４が停滞状態を検出したときに、図４に関して説明したように、ワードＤＢ４０６から抽出したワード４１０および位置情報ＤＢ４０８から抽出した位置情報４１１に加えて、例えば直近の端末装置２２０の環境に関するセンサ情報、例えば「気温が暑い」「低気圧が近づいている」「じめじめしている」「昼間または夜」等や、直近の端末装置２２０の利用者の体調に関するセンサ情報、例えば「熱がある」「脈が速い」「血圧が高いまたは低い」等のセンサ情報１３０３を例えば無作為に抽出する。そして、話題提供部４０９は、抽出されたワード４１０と、位置情報４１１および／またはセンサ情報１３０３の全て（いずれかであってもよい）に合致または関連する話題４１２を、通信インタフェース部４０１および図２のネットワーク２５０を介して、検索サイトのサーバ装置２３０やニュースサイトのサーバ装置２４０にアクセスして検索する。話題提供部４０９は、その検索された話題４１２を、会話状態監視部４０４が停滞状態を検出した対話型通信を行っている端末装置１０１に送信する。
【手続補正１１】
【補正対象書類名】明細書
【補正対象項目名】０１０２
【補正方法】変更
【補正の内容】
【０１０２】
１００  サーバ装置
１０１、２２０、２２０Ａ、２２０Ｂ、２２０Ｃ  端末装置
１０２、４０４  会話状態監視部
１０３  語句抽出・記録部
１０４  記録された語句
１０５  抽出された語句
１０６、４０９  話題提供部
１０７  位置情報解析・記録部
１０８  記録された位置情報
１０９  抽出された位置情報
１１０、４１２  話題
１１１、２３０  検索サイトのサーバ装置
２４０  ニュースサイトのサーバ装置
２５０  ネットワーク
３０１  対話型通信制御部
３０２  音声入出力部
３０３  撮像部
３０４  表示部・操作入力部
３０５  ＧＰＳ受信部
３０６  データ記憶部
３０７  音声分析部
３０８  位置データ取得部
３０９、４０１  通信インタフェース部
４０２  認証部
４０３  ユーザＤＢ（データベース）
４０５  ワード抽出部
４０６  ワードＤＢ（データベース）
４０７  位置情報解析部
４０８  位置情報ＤＢ（データベース）
４１０  抽出されたワード
４１１  抽出された位置情報
５０１  ＣＰＵ（中央演算処理装置）
５０２  メモリ
５０３  入力装置
５０４  出力装置
５０５  外部記憶装置
５０６  可搬記録媒体駆動装置
５０７  通信インタフェース回路
５０８  バス
５０９  可搬記録媒体
５１０  カメラ
５１１  ＧＰＳ受信機
１２０１  センサ群
１２０２  センサデータ群取得部
１３０１  センサ情報解析部
１３０２  センサ情報ＤＢ（データベース）